(57)【要約】      （修正有）【課題】電気機器の容器に収納される複数の回路の放熱性を考慮した電気機器を提供する。【解決手段】電気機器は、第１の回路を収納する第１容器１０と、第２の回路を収納する第２容器１１と、を備えている。また、第１容器および第２容器は分離可能であり、第２容器の外壁面が第１容器の開口部を塞ぐ蓋になっている。【選択図】図２
2020053525.tif 000002
【特許請求の範囲】
【請求項１】
第１の回路を収納する第１容器と、
第２の回路を収納する第２容器と、
を備えた電気機器であって、
前記第１容器および前記第２容器は分離可能であり、
前記第２容器の外壁面が前記第１容器の開口部を塞ぐ蓋になっている、
電気機器。
【請求項２】
前記第１容器および前記第２容器は、回動可能な接合具で接続される、
請求項１に記載の電気機器。
【請求項３】
前記第１容器と前記第２容器とを固定するための固定部材を備え、
前記固定部材は、前記第２容器のうち前記外壁面の反対側の面から挿入され、前記第１容器に固定される、
請求項１または請求項２に記載の電気機器。
【請求項４】
前記第２容器は、前記外壁面を構成する第１部材、前記外壁面の反対側の面を構成する第２部材、および前記第１部材と前記第２部材とを固定するための第２容器用固定部材、を備え、
前記第２容器用固定部材は、前記外壁面側から前記第１部材に挿入され、前記第２部材に固定される、
請求項１乃至請求項３のいずれか１項に記載の電気機器。
【請求項５】
前記第１の回路は、前記開口部から交換可能な様に前記第１容器に収納されている、
請求項１乃至請求項４のいずれか１項に記載の電気機器。
【請求項６】
前記第１容器は、前記第１の回路に接続される周辺回路をさらに収納し、
前記第１の回路および前記周辺回路は、ユニットとして構成され、
前記第１の回路および前記ユニットは、それぞれ前記開口部から交換可能な様に前記第１容器に収納されている、
請求項１乃至請求項５のいずれか１項に記載の電気機器。
【請求項７】
前記第２の回路は、交換可能な様に前記第２容器に収納されている、
請求項１乃至請求項６のいずれか１項に記載の電気機器。
【請求項８】
前記第２容器の外壁面と前記第１容器の開口面は、耐圧防爆接合部となっている、
請求項１乃至請求項７のいずれか１項に記載の電気機器。
【請求項９】
前記耐圧防爆接合部の外側にシール部材を備えた、
請求項８に記載の電気機器。
【発明の詳細な説明】
【技術分野】
【０００１】
本発明は、複数の回路を有する電気機器に関する。
【背景技術】
【０００２】
容器の内部に複数の回路を収納する電気機器として、例えば特許文献１には、防爆容器に収納された照明機器が開示されている。
【先行技術文献】
【特許文献】
【０００３】
【特許文献１】特許第５０２４９５３号公報
【発明の概要】
【発明が解決しようとする課題】
【０００４】
電気機器の容器に収納される複数の回路は、それぞれ熱源となるため、放熱性が課題となる。
【０００５】
そこで、この発明は、放熱性を考慮した電気機器を提供することを目的とする。
【課題を解決するための手段】
【０００６】
本発明の電気機器は、第１の回路を収納する第１容器と、第２の回路を収納する第２容器と、を備えている。前記第１容器および前記第２容器は分離可能であり、前記第２容器の外壁面が前記第１容器の開口部を塞ぐ蓋になっていることを特徴とする。
【０００７】
仮に、１つの容器内で、複数の回路の互いの熱の影響を緩和すべく、これら複数の回路を互いに離して配置すると、容器が大型化する。一方で、熱源となる複数の回路をそれぞれ別の容器に収納すると、複数の容器が重なる部分において容器の厚み分だけ厚くなる。
【０００８】
しかし、本発明の電気機器は、第２容器の外壁面が第１容器の開口部を塞ぐため、第１容器の開口部を塞ぐ蓋を用意する必要がない。よって、複数の容器を備える場合であっても、厚みを低減することができるとともに、放熱性も向上する。
【０００９】
また、本発明の電気機器は、第１容器と第２容器とが分離可能であるため、それぞれの容器に収納される第１の回路および第２の回路の交換が容易になる。さらに、第１容器と第２容器とを分離すると、第１容器の開口部が露出するため、第１の回路が開口部から交換可能な様に第１容器に収納されていれば、第１の回路の交換が容易になる。
【００１０】
なお、前記第１容器および前記第２容器は、回動可能な接合具で接続されてもよい。これにより、第２容器を回動させるだけで第１容器と第２容器とを分離することができ、回路の交換がさらに容易になる。
【００１１】
電気機器は、前記第１容器と前記第２容器とを固定するための固定部材を備えてもよい。この場合、固定部材は、前記第２容器のうち前記外壁面の反対側の面から挿入され、前記第１容器に固定される。固定部材は、例えばネジまたはリベット等が含まれる。
【００１２】
これにより、作業者は、第２容器の側から第１容器と第２容器とを分離する、または固定することができ、回路の交換がさらに容易になる。
【００１３】
また、前記第２容器は、前記外壁面を構成する第１部材、前記外壁面の反対側の面を構成する第２部材、および前記第１部材と前記第２部材とを固定するための第２容器用固定部材、を備えていてもよい。この場合、前記第２容器用固定部材は、前記外壁面側から前記第１部材に挿入され、前記第２部材に固定される。
【００１４】
第２容器用固定部材も、例えばネジまたはリベット等が含まれる。この例では、作業者は、第１容器と第２容器とを分離して、第２容器の第１部材を露出させてから、第２容器用固定部材を取り外すことができる。したがって、第１容器と第２容器とが接続されている状態では、作業者が誤って第２容器用固定部材を取り外すことはない。第２の回路が交換可能な様に前記第２容器に収納されている場合、第２容器用固定部材を取り外すことで、第２の回路を交換することもできる。
【００１５】
なお、前記第１容器は、前記第１の回路に接続される周辺回路をさらに収納し、前記第１の回路および前記周辺回路は、ユニットとして構成され、前記第１の回路および前記ユニットは、それぞれ前記開口部から交換可能な様に前記第１容器に収納されていてもよい。
【００１６】
この場合、作業者は、第１の回路だけを交換することもできるし、第１の回路と周辺回路とを含むユニット全体を交換することもできる。
【００１７】
なお、前記第２容器の外壁面と前記第１容器の開口面が耐圧防爆接合部となっていてもよい。仮に１つの容器内で、複数の回路において、互いの熱の影響を緩和すべく、互いに離して配置すると、容器が大型化する。容器が大型化すると、防爆規格により、耐圧防爆接合部の長さを長く設定する必要が生じる。しかし、本発明の電気機器は、熱源となる複数の回路をそれぞれ別の容器に収納するため、耐圧防爆接合部の長さを抑えることができる。
【００１８】
なお、耐圧防爆接合部の外側にシール部材を設けることで、シール部材の内側で防爆規格上の耐圧防爆接合部の長さを確保すれば、外側の部分における耐圧防爆接合部の長さを考慮する必要がなくなる。したがって、電気機器は、シール部材のすぐ外側にネジ等の接合部材を配置することができ、シール部材の内側に接合部材を配置する必要がない。そのため、第１容器の内部空間を大きくすることができる。
【発明の効果】
【００１９】
この発明によれば、放熱性が向上し、かつ容器の大型化を防止することができる。
【図面の簡単な説明】
【００２０】
【図１】図１（Ａ）は電気機器１の上面斜視図であり、図１（Ｂ）は電気機器１の下面斜視図である。
【図２】図２（Ａ）は電気機器１の正面図であり、図２（Ｂ）は左側面図、図２（Ｃ）は右側面図、図２（Ｄ）は上面図、図２（Ｅ）は下面図である。
【図３】図２（Ｅ）に示したＡ−Ａ線の断面図である。
【図４】図４（Ａ）は電気機器１の背面図であり、図４（Ｂ）はＢ−Ｂ線の断面図であり、図４（Ｃ）はＣ−Ｃ線の断面図である。
【図５】図５（Ａ）は電気機器１の上面斜視図であり、図５（Ｂ）は電気機器１の下面斜視図である。
【図６】図６（Ａ）は電気機器１の正面図であり、図６（Ｂ）は左側面図、図６（Ｃ）は右側面図、図６（Ｄ）は上面図、図６（Ｅ）は下面図である。
【図７】図７（Ａ）は電気機器１の背面図であり、図７（Ｂ）はＤ−Ｄ線の断面図であり、図７（Ｃ）はＥ−Ｅ線の断面図である。
【発明を実施するための形態】
【００２１】
図１（Ａ）は電気機器１の上面斜視図であり、図１（Ｂ）は電気機器１の下面斜視図である。図２（Ａ）は電気機器１の正面図であり、図２（Ｂ）は左側面図、図２（Ｃ）は右側面図、図２（Ｄ）は上面図、図２（Ｅ）は下面図である。図３は、図２（Ｅ）に示したＡ−Ａ線の断面図である。図４（Ａ）は電気機器１の背面図であり、図４（Ｂ）はＢ−Ｂ線の断面図であり、図４（Ｃ）はＣ−Ｃ線の断面図である。
【００２２】
電気機器１は、第１容器１０と、第２容器１１と、を備えている。第１容器１０は、電気機器１の上面側に配置され、第２容器１１は、電気機器１の下面側に配置される。第１容器１０は、電源基板５７（第１の回路）を収納する。第２容器１１は、ＬＥＤ６０等の照明（第２の回路）を収納する。
【００２３】
第１容器１０は、左右に長く、前後に短い直方体形状である。第１容器１０は、耐圧防爆容器となっている。第２容器１１は、薄い板状の直方体形状である。第２容器も、左右に長く、前後に短い。第２容器１１も、耐圧防爆容器となっている。
【００２４】
第１容器１０は、電源基板５７を含むユニット５０を収納する。ユニット５０は、端子台５１、サージ吸収回路５５、および電源基板５７を含む。電源基板５７は、ユニット５０にネジ等で固定され、ユニット５０は、第１容器１０の内壁のうち上面に、ネジ等で固定される。電源基板５７には、端子台５１およびサージ吸収回路５５が接続されている。
【００２５】
第２容器１１は、２つの開口部１００を有する。開口部１００は、透明な強化ガラス１１Ｂで覆われている。ＬＥＤ６０を含む照明用の回路は、第２容器１１の内壁のうち上面に固定される。ＬＥＤ６０の光照射方向は、下面に向けられている。ＬＥＤ６０の光は、開口部１００から出力される。
【００２６】
第２容器１１は、上面側の第１部材１１Ａと、上記の強化ガラス１１Ｂと、枠状の第２部材１１Ｃと、を有する。強化ガラス１１Ｂは、平板状である。枠状の第２部材１１Ｃは、上記２つの開口部１００を有する。
【００２７】
第１部材１１Ａは、平板状である。ただし、第１部材１１Ａは、外周部分において段差を有し、かつ当該段差から外周側に平面状に延びる部分を有する。この段差により、第２容器１１は、ＬＥＤ６０等の回路を収納するための空間を確保する。
【００２８】
上記段差から外周側に延びる平面状の部分において、強化ガラス１１Ｂは、第１部材１１Ａと枠状の第２部材１１Ｃとで挟み込まれる。第１部材１１Ａおよび第２部材１１Ｃは、第２容器用固定部材であるネジ２０２で接合される。第１部材１１Ａと強化ガラス１１Ｂとが接する部分は、耐圧防爆接合部となっている。
【００２９】
第１容器１０は、下面が開口部となっている。図３、図４（Ｂ）および図４（Ｃ）に示す様に、第１容器１０は、側面のうち下面側が外周側に張り出している。この外周側に張り出した部分の下面は、第２容器１１の第１部材１１Ａの上面に接する。これにより、第２容器１１の外壁面である第１部材１１Ａは、第１容器１０の開口部を塞ぐ蓋となる。
【００３０】
熱源となる複数の回路を、それぞれ別の容器に収納すると、複数の容器が重なる部分において容器の厚み分だけ厚くなる。全体の厚みを抑えるためには、内部の空間を減少させる必要がある。しかし、本実施形態の電気機器１は、第２容器１１の外壁面である第１部材１１Ａが第１容器１０の開口部を塞ぐ蓋になっているため、第１容器１０の厚みを低減することができ、内部の空間を大きくすることができる。また、放熱性が向上する。
【００３１】
また、仮に１つの容器内で、複数の回路において、互いの熱の影響を緩和すべく、互いに離して配置すると、容器が大型化する。容器が大型化すると、防爆規格により、耐圧防爆接合部の長さを長く設定する必要が生じる。しかし、本実施形態の電気機器１は、熱源となる複数の回路をそれぞれ別の容器に収納するため、耐圧防爆接合部の長さを抑えることができる。
【００３２】
さらに、第１容器１０および第２容器１１は、分離可能である。図５（Ａ）は電気機器１の上面斜視図であり、図５（Ｂ）は電気機器１の下面斜視図である。図６（Ａ）は電気機器１の正面図であり、図６（Ｂ）は左側面図、図６（Ｃ）は右側面図、図６（Ｄ）は上面図、図６（Ｅ）は下面図である。図７（Ａ）は電気機器１の背面図であり、図７（Ｂ）はＤ−Ｄ線の断面図であり、図７（Ｃ）はＥ−Ｅ線の断面図である。
【００３３】
これらの図に示すように、第１容器１０および第２容器１１は、回動可能な接合具であるヒンジ部品１０１Ａおよびヒンジ部品１０１Ｂで接続される。ヒンジ部品１０１Ａは、第１容器１０の側面のうち外周側に平面状に延びる部分の端部に配置されている。ヒンジ部品１０１Ａは、当該端部からさらに外側に延びる複数の板状部材と、該複数の板状部材に挟み込まれる円柱状の軸部材と、を有する。
【００３４】
ヒンジ部品１０１Ｂは、第１部材１１Ａの上面の端部に配置されている。ヒンジ部品１０１Ｂは、図４（Ｂ）および図７（Ｂ）に示す様に、断面がＵ字型となっている板状部材である。ヒンジ部品１０１Ｂは、Ｕ字型の内面がヒンジ部品１０１Ａの軸部材にはめ込まれる。これにより、第１容器１０および第２容器１１は、ヒンジ部品１０１Ａの軸部材を軸として、回動可能に接続される。
【００３５】
第２容器１１の下面には、複数のネジ孔１５１が設けられている。本実施形態では、複数のネジ孔１５１は、第２容器１１の下面のうち、前面側に３箇所、背面側に３箇所、等間隔に並んで配置されている。複数のネジ孔１５１には、それぞれネジ１７１が挿入される。ネジ１７１の先端部分は、第１容器１０に嵌合する。これにより、第１容器１０および第２容器１１は、強固に接続される。なお、第１容器１０と第２容器１１とを固定するための固定部材は、ネジに限らない。例えば、リベット等の部材でも、第１容器１０と第２容器１１とを固定することができる。
【００３６】
この様に、ネジ１７１は、第２容器１１のうち第１容器１０との接合面（外壁面）の反対側の面から挿入され、第１容器１０に固定される。作業者は、第２容器１１の側から第１容器１０と第２容器１１とを分離する、または固定する作業を行なう。したがって、作業者は、ネジ１７１を外して第２容器１１を回動させて、第１容器１０に収納された電源基板５７を交換することができる。
【００３７】
ネジ１７１を外した場合、第２容器１１は、ヒンジ部品１０１Ａおよびヒンジ部品１０１Ｂを支点に９０度回転して自重により鉛直下方向に向かって垂れ下がる。この状態では、第２容器１１を第１容器１０から外すことはできない。したがって、作業者は、ネジ１７１を外すだけで、第２容器１１が垂れ下がった状態のままで、電源基板５７を交換することができる。
【００３８】
なお、電源基板５７、端子台５１、またはサージ吸収回路５５は、それぞれ個別に交換することもできるし、ユニット５０の全体を交換することもできる。
【００３９】
第２容器１１は、さらに回転し、１８０度程度まで回転すると、Ｕ字型のヒンジ部品１０１Ｂの開口部分が鉛直上方向に向く。したがって、第２容器１１を鉛直下方向に移動させることができ、第１容器１０から外すことができる。よって、ＬＥＤ６０等の第２容器１１に収納された回路が故障した場合には、第２容器１１を第１容器１０から取り外して、交換作業を行なうことができる。無論、ＬＥＤ６０等の回路を含む第２容器１１全体を交換することも可能である。
【００４０】
図３の断面図に示す様に、第２容器１１の第１部材１１Ａおよび第２部材１１Ｃは、ネジ２０２で接続されている。ネジ２０２は、第１部材１１Ａの上面から挿入され、第２部材１１Ｃに固定される。したがって、第１容器１０と第２容器１１とが固定されている状態では、作業者は、第２容器１１のネジ２０２を取り外すことはできない。このため、作業者は、誤って第２容器１１のネジ２０２を取り外すことがない。
【００４１】
図６（Ａ）に示す様に、第１部材１１Ａの上面には、シール部材であるパッキン７１が配置されている。パッキン７１は、第１部材１１Ａの上面に設けられた浅い溝にはめ込まれている。パッキン７１は、第１容器１０の開口部を囲むように配置されている。
【００４２】
パッキン７１は、耐圧防爆接合部の外側に配置されている。これにより、パッキン７１の内側の部分で既に防爆規格上の耐圧防爆接合部の長さが確保されている。そのため、パッキン７１の外側の部分では耐圧防爆接合部の長さを考慮する必要がない。したがって、本実施形態の電気機器１は、パッキン７１のすぐ外側にネジ孔１５１を配置することができ、パッキン７１の内側にネジ孔１５１を配置する必要がない。よって、第１容器１０の内部空間を大きくすることができる。
【００４３】
なお、図６（Ｅ）に示す様に、第１容器１０のうちネジ１７１が挿入される部分は、正面または背面方向に向かって張り出している。ネジ１７１が挿入される部分以外には、第１容器１０の部材が張り出していない。ネジ２０２は、この第１容器１０の部材が張り出していない箇所に配置されている。そのため、ネジ１７１とネジ２０２とは、平面視して重なることがない。
【００４４】
なお、電気機器は、本実施形態に示した照明機器に限らない。例えば、ＬＣＤ等の表示器、またはカメラ等の撮像機器も、本発明の電気機器に含まれる。また、第１容器１０に収納される回路は、電源回路に限らない。例えば、第２容器１１にカメラの撮像素子を収納し、第１容器１０に信号処理用の回路を収納してもよい。すなわち、２つ以上の熱源を有する電気機器を複数の容器にそれぞれ収納するものであれば、全て本発明の技術的範囲に含まれる。
【００４５】
また、本実施形態の電気機器１は、耐圧防爆容器である第１容器１０および第２容器１１を示したが、本発明の技術的範囲は、耐圧防爆容器に限るものではない。どの様な電気機器であっても、本実施形態の様に、熱源となる回路を別々の容器に収納すると、複数の容器が重なる部分において容器の厚み分だけ、内部の空間が減少する。しかし、本実施形態で示した構造によれば、熱源となる複数の回路をそれぞれ別の容器に収納しても、厚みを低減することができる。
【符号の説明】
【００４６】
１…電気機器
１０…第１容器
１１…第２容器
１１Ａ…第１部材
１１Ｂ…強化ガラス
１１Ｃ…第２部材
５０…ユニット
５１…端子台
５５…サージ吸収回路
５７…電源基板
６０…ＬＥＤ
７１…パッキン
１００…開口部
１０１Ａ…ヒンジ部品
１０１Ｂ…ヒンジ部品
１５１…ネジ孔
１７１…ネジ
２０２…ネジ
【図１】
2020053525.tif 000003
【図２】
2020053525.tif 000004
【図３】
2020053525.tif 000005
【図４】
2020053525.tif 000006
【図５】
2020053525.tif 000007
【図６】
2020053525.tif 000008
【図７】
2020053525.tif 000009